(57)【要約】【課題】画像全体の解像感を必要以上に低下させずに、画像中の人物の顔に適切な強度の補正を施すこと。【解決手段】デジタルカメラは、入力された画像に含まれる顔画像領域を検出し、顔画像領域を検出した場合に、顔画像領域が検出された画像に対して所定の補正処理を実行する顔処理部９１を備える。この顔処理部９１は、入力された画像全体に対する検出した顔画像領域が占める割合を占有率として算出し、この算出した占有率に基づいて、顔画像領域を検出した画像に対して実行する所定の補正処理の補正強度を決定する。【選択図】図１
2010049312.tif 000002
【特許請求の範囲】
【請求項１】
入力された画像から特定の被写体を検出したか否かを判断する判断手段と、
この判断手段によって前記特定の被写体を検出したと判断すると、前記入力された画像全体に対する前記検出した特定の被写体が占める割合を占有率として算出する占有率算出手段と、
前記占有率算出手段で算出した占有率に基づいて、前記特定の被写体を補正するための補正処理について補正強度を設定する強度設定手段と、
前記強度設定手段によって設定された補正強度の補正内容で前記入力された画像を補正する補正手段と、
を備えることを特徴とする画像処理装置。
【請求項２】
前記強度設定手段は、前記占有率算出手段により算出した占有率が第１の所定値以下である場合、補正処理を実行しないことを特徴とする請求項１に記載の画像処理装置。
【請求項３】
前記強度設定手段は、前記占有率算出手段により算出した占有率が第２の所定値以上である場合、補正処理の強度を一定とすることを特徴とする請求項１または２に記載の画像処理装置。
【請求項４】
前記判断手段が特定の被写体を複数検出したと判断した場合、前記占有率算出手段は当該複数の被写体の夫々について占有率を算出するとともに、前記強度設定手段は、前記占有率算出手段により算出した複数の占有率のうち最大のものに基づいて、前記補正手段の補正処理の強度を決定することを特徴とする請求項１から３のいずれかに記載の画像処理装置。
【請求項５】
前記補正内容は複数種用意されるとともに、これら複数種の補正処理内容夫々について補正強度を複数段階に分け、夫々の段階の補正強度を組として前記占有率と対応付けて記憶する補正レベル記憶手段を更に備え、
前記強度設定手段は、前記占有率算出手段によって算出された占有率に対応する補正強度の組を前記補正レベル記憶手段から読み出して、前記複数種の補正内容夫々に設定することを特徴とする請求項１から４のいずれかに記載の画像処理装置。
【請求項６】
前記補正レベル記憶手段は、前記占有率と対応付けて一の占有率と対応付けて前記補正強度の第１の組とこの第１の組とは異なる補正強度の組からなる第２の組とを記憶するとともに、
前記入力された画像を表示する表示手段と、
前記入力された画像の記録を指示する指示手段と、
を更に備え、
前記補正手段は、前記指示手段によって指示されるまでは前記占有率算出手段によって算出された占有率に対応した前記第１の組を読み出して前記入力された画像を補正し、前記指示手段によって指示された後は、前記占有率算出手段によって算出された占有率に対応した前記第２の組を読み出して前記入力された画像を補正することを特徴とする請求項５記載の撮影装置。
【請求項７】
前記判断手段は、前記被写体として人物の顔画像が検出されたか否かを判断することを特徴とする請求項１から６のいずれかに記載の画像処理装置。
【請求項８】
入力された画像から特定の被写体を検出したか否かを判断する判断工程と、
この判断工程によって前記特定の被写体を検出したと判断すると、前記入力された画像全体に対する前記検出した特定の被写体が占める割合を占有率として算出する占有率算出工程と、
前記占有率算出工程で算出した占有率に基づいて、前記特定の被写体を補正するための補正処理について補正強度を設定する強度設定工程と、
前記強度設定工程によって設定された補正強度の補正内容で前記入力された画像を補正する補正工程と、
を備えることを特徴とする画像処理方法。
【請求項９】
コンピュータを、
入力された画像から特定の被写体を検出したか否かを判断する判断手段、
この判断手段によって前記特定の被写体を検出したと判断すると、前記入力された画像全体に対する前記検出した特定の被写体が占める割合を占有率として算出する占有率算出手段、
前記占有率算出手段で算出した占有率に基づいて、前記特定の被写体を補正するための補正処理について補正強度を設定する強度設定手段と、
前記強度設定手段によって設定された補正強度の補正内容で前記入力された画像を補正する補正手段
として機能させることを特徴とするプログラム。
【発明の詳細な説明】
【技術分野】
【０００１】
本発明は、画像処理装置、画像処理方法、及びプログラムに関する。
【背景技術】
【０００２】
従来より、デジタルカメラやビデオカメラ等の撮像装置が知られている。
このような撮像装置では、近年、高画素化が進んでおり、女性が撮像装置で撮影されることを嫌う現象が発生している。これは、撮像装置の解像度があまりにも高くなって、細部まで高精細で記録してしまうため、顔をアップで撮影されると、ちょっとした顔のアラや肌の荒れまであからさまに記録されるからである。
【０００３】
そのため、以上の撮像装置としては、撮影した画像に対して美肌補正を施す機能を搭載したものが提案されている（特許文献１参照）。
美顔処理とは、例えば、目を大きくする、充血を除去する、歯を白くする、顔をほっそりさせる、唇に色を付ける、肌を美しくする等の処理である。
具体的には、これらの美肌処理は、フィルタ処理を撮影画像に施すことによってソフトフォーカス画像を生成し、生成したソフトフォーカス画像に対して露出補正や肌色彩度の調整を行うことで、好ましい画像を生成させる。
【特許文献１】特開２００７−２８０２９１号公報
【発明の開示】
【発明が解決しようとする課題】
【０００４】
しかしながら、以上の美肌補正を実行すると、人の肌の色に近い色や輝度を有する画像領域全てに上記の補正処理が適用されるため、撮影された画像全体に対し人物の顔部分が占める割合が小さい場合には、人物の顔部分以外の画像領域にかかった補正処理により、画像全体の解像感が落ちるという問題があった。
【０００５】
本発明は、画像全体の解像感を必要以上に低下させずに、画像中の人物の顔に適切な強度の補正を施すことを目的とする。
【課題を解決するための手段】
【０００６】
請求項１に記載の発明に係る画像処理装置は、入力された画像から特定の被写体を検出したか否かを判断する判断手段と、この判断手段によって前記特定の被写体を検出したと判断すると、前記入力された画像全体に対する前記検出した特定の被写体が占める割合を占有率として算出する占有率算出手段と、前記占有率算出手段で算出した占有率に基づいて、前記特定の被写体を補正するための補正処理について補正強度を設定する強度設定手段と、前記強度設定手段によって設定された補正強度の補正内容で前記入力された画像を補正する補正手段と、を備えることを特徴とする。
【０００７】
請求項２に記載の発明に係る画像処理装置は、前記強度設定手段は、前記占有率算出手段により算出した占有率が第１の所定値以下である場合、補正処理を実行しないことを特徴とする。
【０００８】
請求項３に記載の発明に係る画像処理装置は、前記強度設定手段は、前記占有率算出手段により算出した占有率が第２の所定値以上である場合、補正処理の強度を一定とすることを特徴とする。
【０００９】
請求項４に記載の発明に係る画像処理装置は、前記判断手段が特定の被写体を複数検出したと判断した場合、前記占有率算出手段は当該複数の被写体の夫々について占有率を算出するとともに、前記強度設定手段は、前記占有率算出手段により算出した複数の占有率のうち最大のものに基づいて、前記補正手段の補正処理の強度を決定することを特徴とする。
【００１０】
請求項５に記載の発明に係る画像処理装置は、前記補正内容は複数種用意されるとともに、これら複数種の補正処理内容夫々について補正強度を複数段階に分け、夫々の段階の補正強度を組として前記占有率と対応付けて記憶する補正レベル記憶手段を更に備え、前記強度設定手段は、前記占有率算出手段によって算出された占有率に対応する補正強度の組を前記補正レベル記憶手段から読み出して、前記複数種の補正内容夫々に設定することを特徴とする。
【００１１】
請求項６に記載の発明に係る画像処理装置は、前記補正レベル記憶手段は、前記占有率と対応付けて一の占有率と対応付けて前記補正強度の第１の組とこの第１の組とは異なる補正強度の組からなる第２の組とを記憶するとともに、前記入力された画像を表示する表示手段と、前記入力された画像の記録を指示する指示手段と、を更に備え、前記補正手段は、前記指示手段によって指示されるまでは前記占有率算出手段によって算出された占有率に対応した前記第１の組を読み出して前記入力された画像を補正し、前記指示手段によって指示された後は、前記占有率算出手段によって算出された占有率に対応した前記第２の組を読み出して前記入力された画像を補正することを特徴とする。
【００１２】
請求項７に記載の発明に係る画像処理装置は、前記判断手段は、前記被写体として人物の顔画像が検出されたか否かを判断することを特徴とする。
【００１３】
請求項８に記載の発明に係る画像処理方法は、入力された画像から特定の被写体を検出したか否かを判断する判断工程と、この判断工程によって前記特定の被写体を検出したと判断すると、前記入力された画像全体に対する前記検出した特定の被写体が占める割合を占有率として算出する占有率算出工程と、前記占有率算出工程で算出した占有率に基づいて、前記特定の被写体を補正するための補正処理について補正強度を設定する強度設定工程と、前記強度設定工程によって設定された補正強度の補正内容で前記入力された画像を補正する補正工程と、を備えることを特徴とする。
【００１４】
請求項９に記載の発明に係るプログラムは、コンピュータを、入力された画像から特定の被写体を検出したか否かを判断する判断手段と、この判断手段によって前記特定の被写体を検出したと判断すると、前記入力された画像全体に対する前記検出した特定の被写体が占める割合を占有率として算出する占有率算出手段、前記占有率算出手段で算出した占有率に基づいて、前記特定の被写体を補正するための補正処理について補正強度を設定する強度設定手段、前記強度設定手段によって設定された補正強度の補正内容で前記入力された画像を補正する補正手段として機能させることを特徴とする。
【発明の効果】
【００１５】
本発明によれば、このように画像中の被写体の大きさによって、補正処理の強度を変更したので、画像中の背景の解像感が必要以上に低下されることを防ぎ、画像中の被写体に適切な補正強度の補正処理を施すことができる。
【発明を実施するための最良の形態】
【００１６】
以下、本発明の一実施形態を図面に基づいて説明する。
図１は、本発明の一実施形態に係る画像処理装置としてのデジタルカメラの電気的構成を示すブロック図である。
このデジタルカメラは、基本となる動作モードとして撮影を行うための記録モードと、撮影した画像を再生するための再生モードとを有し、記録モードの下位モードとして美顔モードが設けられたものである。
【００１７】
本実施形態のデジタルカメラは、撮影レンズ１と、シャッタ２、ＣＭＯＳセンサ３、Ａ／Ｄ変換器４、ＤＲＡＭ５、液晶表示コントローラ６、液晶表示器７、シャッタ制御部８、ＣＰＵ９、受光制御部１０、デモザイク部１１、外部記憶メモリ１２、キー入力ブロック１３、プログラムメモリ１４、ＳＲＡＭ１５を備える。
【００１８】
記録モードで撮影する場合には、ＣＭＯＳセンサ３により、撮影レンズ１により収束された撮影光をシャッタ２を介して受光するとともに、受光面に結像された被写体の光学像を光電変換し画像信号として出力する。次に、Ａ／Ｄ変換器４により、ＣＭＯＳセンサ３の出力信号をデジタルの画像データへ変換する。そして、ＤＲＡＭ５により、Ａ／Ｄ変換器４により変換された画像データを逐次記憶する。なお、このＤＲＡＭ５には、連写モードでの撮影時においては複数枚分の画像データが格納される。
【００１９】
前記シャッタ２の動作は、ＣＰＵ９の命令に従い、シャッタ制御部８により制御され、前記ＣＭＯＳセンサ３及びＡ／Ｄ変換器４の動作は、ＣＰＵ９の命令に従い、受光制御部１０により制御される。
前記ＤＲＡＭ５に格納された１枚分の画像データ、すなわちＲＡＷデータはデモザイク部１１により画素毎に色情報を補間されてＹＵＶデータに変換された後、液晶表示コントローラ６を介して液晶表示器７にスルー画像として表示される。
【００２０】
記録モードで撮影する場合に、デモザイク部１１によりＹＵＶデータに変換された画像データは、ＣＰＵ９によってＪＰＥＧ等の所定の圧縮方式に従い圧縮された後、外部記憶メモリ１２に静止画ファイルとして記録される。
また、外部記憶メモリ１２に静止画ファイルとして記憶された画像データは、再生モードでは、必要に応じＣＰＵ９に読み出されて伸張された後、液晶表示コントローラ６を介して液晶表示器７において表示される。
なお、外部記憶メモリ１２は、例えばカメラ本体に着脱自在なメモリカードや、カメラ本体に内蔵されたフラッシュメモリ等により構成される。
【００２１】
ＣＰＵ９には、顔処理部９１を備えるとともに、キー入力ブロック１３、プログラムメモリ１４、ＳＲＡＭ１５が接続されている。
キー入力ブロック１３は、使用者によるデジタルカメラの操作に使用される、電源キーやシャッターキー、モード切替キー等を含む複数のスイッチ類から構成される。
【００２２】
プログラムメモリ１４は、ＣＰＵ９、及び、このＣＰＵ９に含まれる顔処理部９１の動作に必要に種々のプログラム、及びプログラムの実行に際して使用される各種のデータが記憶されたメモリである。このプログラムメモリ１４は、本発明の補正レベル記憶手段である。
【００２３】
ＣＰＵ９は、プログラムメモリ１４に記憶されたプログラムに従い、キー入力ブロック１３におけるいずれかのキーの操作に応じてデジタルカメラの各部の動作を制御するとともに、前述した画像データの圧縮・伸張処理を行う。ここで、ＣＰＵ９は、本発明の表示手段及び指示手段である。
【００２４】
顔処理部９１は、美顔モードでの撮影に際して、ＣＰＵ９の指示に応じ、ＳＲＡＭ１５を作業メモリとして使用し、ＣＭＯＳセンサ３により撮像された画像に含まれる顔画像領域を検出する顔検出処理を実行し、特定の被写体を検出したか否かを判断する判断手段である。この顔検出処理は公知の技術であるので、ここでは詳細な説明を省略する。
また、ＣＰＵ９の指示に応じ、顔処理部９１は、検出した顔に対して美顔処理を実行する本発明の補正手段、検出した顔の画像全体に対して占める割合を占有率として算出する本発明の占有率算出手段、算出した占有率に基づいて画像処理の強度を決定する本発明の強度設定手段である。
【００２５】
ここで、美顔処理とは、撮影された人物の顔画像に対し、人物の目の中の充血を軽減するような補正を行う充血軽減処理、肌の血色を改善するよう補正する美肌処理及び血色改善処理、黄ばんだ歯を白くする補正を行う歯美白処理、目を大きく開かせるよう補正する開眼処理、ぽっちゃりした頬やえらの張った頬をほっそりとさせる補正を行う頬リフトアップ処理からなる複数種の補正内容からなる。
また、美顔処理には、上記の補正処理以外にもフラッシュ発光時の赤目状態を除去するフラッシュ赤目除去処理が含まれている。
尚、充血軽減処理、フラッシュ赤目除去処理、美肌処理、血色改善処理、歯美白処理、開眼処理、及び頬リフトアップ処理は、画像処理の技術分野においては公知の技術であるので、ここでは詳細な説明を省略する。
【００２６】
図２及び図３は、デジタルカメラの動作を示すフローチャートである。
キー入力ブロック１３に設けられているモード設定キーが操作されて美顔モードが設定されると、ＣＰＵ９は、図２及び図３に示すフローチャートの処理を実行するためのプログラムをプログラムメモリ１４から読み出す。ＣＰＵ９は、このプログラムに従って、図２及び図３に示すフローチャートにおける各種処理を実行する。
まず、ＣＭＯＳセンサ３により、所定のフレームレートで撮影が開始され、ＣＰＵ９は、この撮影された画像データを取得する（ステップＳ１）。
【００２７】
次に、ステップＳ２では、顔処理部９１は、取得した画像について、顔の個数及び顔の大きさを判定する。具体的には、顔検出処理により、画像中の顔画像領域を検出し、顔画像領域が検出されると、この顔画像領域の個数を顔の個数とし、顔画像領域の大きさを顔の大きさとする。
次に、顔処理部９１は、検出した顔の夫々について、画像全体に対して占める割合を占有率として算出する（ステップＳ３）。具体的には、ステップＳ２で顔として検出した顔画像領域の大きさから、撮影された画像全体に占める顔画像領域の割合を、占有率として算出する。
【００２８】
次に、顔処理部９１は、検出した顔の個数が複数であるか否かを判定する（ステップＳ４）。この判定がＹＥＳの場合には、ステップＳ５に移り、この判定がＮＯの場合には、ステップＳ６に移る。
ステップＳ５では、顔処理部９１は、顔の個数が複数であるので、検出した顔の夫々の占有率のうち最大のものを求める。
次に、顔処理部９１は、図４の表示画像用テーブル２０を参照して、顔画像領域の占有率に基づいて、補正処理の補正強度を求める（ステップＳ６）。
【００２９】
図４は、表示画像用テーブル２０を示す図である。この表示画像用テーブル２０は、顔画像領域の占有率と各補正処理の補正強度の組との関係を数値化して示したテーブルであり、プログラムメモリ１４に記憶されている。また、図５は、表示画像用テーブル２０を、理解の容易のためにグラフ化したものである。
【００３０】
次に、顔処理部９１は、ステップＳ６で求めた強度で、充血軽減処理、フラッシュ赤目除去処理、美肌処理、血色改善処理、歯美白処理、開眼処理、及び頬リフトアップ処理を実行し、新たな画像を生成する（ステップＳ７）。
次に、ＣＰＵ９は、生成した画像をスルー画像として液晶表示器７に表示する（ステップＳ８）。
【００３１】
次に、ＣＰＵ９は、シャッターキーの操作を監視し、キー入力ブロック１３に設けられているシャッターキーが操作された否かを判定する（ステップＳ９）。この判定がＹＥＳの場合には、ステップＳ１０に移り、ＮＯの場合には、ステップＳ１に戻る。
【００３２】
ステップＳ１０では、ＣＰＵ９の指示により、ＣＭＯＳセンサ３により記録用画像の撮影を行ない、この撮影された画像データを取得する。
【００３３】
次に顔処理部９１は、ステップＳ１０で取得した画像について、ステップＳ２と同様の処理により、顔の個数及び顔の大きさを検出する（ステップＳ１１）。
次に、顔処理部９１は、検出した顔の夫々について、ステップＳ３と同様の処理により、画像全体に対して占める割合を占有率として算出する（ステップＳ１２）。
【００３４】
次に、顔処理部９１は、ステップＳ４と同じように、検出した顔の個数が複数であるか否かを判定する（ステップＳ１３）。この判定がＹＥＳの場合には、ステップＳ１４に移り、この判定がＮＯの場合には、ステップＳ１５に移る。
ステップＳ１４では、顔処理部９１は、顔の個数が複数であるので、ステップＳ５と同じように、検出した顔の夫々の占有率のうち最大のものを求める。
次に、顔処理部９１は、図６の記録画像用テーブル３０を参照して、顔画像領域の占有率に基づいて、補正処理の補正強度を求める（ステップＳ１５）。
【００３５】
図６は、記録画像用テーブル３０を示す図である。この記録画像用テーブル３０は、顔画像領域の占有率と各補正処理の補正強度の組との関係を数値化して示したテーブルであり、プログラムメモリ１４に記憶されている。また、図７は、記録画像用テーブル３０を、理解の容易のためにグラフ化したものである。
【００３６】
次に、顔処理部９１は、ステップＳ１５で求めた強度で、充血軽減処理、フラッシュ赤目除去処理、美肌処理、血色改善処理、歯美白処理、開眼処理、及び頬リフトアップ処理を実行し、新たな画像を生成する（ステップＳ１６）。
次に、ＣＰＵ９は、生成した画像の画像データを順次圧縮して符号化し、この圧縮・符号化した画像データをＤＲＡＭ５に格納し、外部記憶メモリ１２に記録する（ステップＳ１７）。
【００３７】
ここで、上述の表示画像用テーブル２０と記録画像用テーブル５０とを比較する。
表示画像用テーブル２０では、歯美白処理、開眼処理、頬リフトアップ処理、及びフラッシュ赤目除去処理については、美顔レベルにかかわらず、補正強度がゼロである。
【００３８】
一方、記録画像用テーブル５０では、歯美白処理、開眼処理、及び頬リフトアップ処理については、美顔レベルがある程度に到達するまで、補正強度がゼロであり実質的に補正処理は行われない。また、フラッシュ赤目除去処理については、顔画像領域の占有率が５％以上、つまり顔画像領域が検出された場合は、補正強度が１００％で一定となる。
【００３９】
そして、その他の美肌処理、充血軽減処理、及び血色改善処理の補正強度は、表示画像用テーブル２０方が全体的に低くなっている。
これは、表示画像は液晶表示器７に表示されるので、処理速度を優先し、更に、表示画像の解像度はそれほど高くならないため、解像度が低いと効果を確認しづらい処理については、補正強度を低めに設定するためである。
【００４０】
本実施形態によれば、以下のような効果がある。
（１）顔処理部９１により、算出した占有率に基づいて、補正処理の補正強度を設定した。よって、画像中の顔画像領域が小さい場合には、補正強度を低くし、画像中の顔が大きい場合には、補正強度を高くする。
例えば、図８（ａ）の画像４０に示すように、画像中の人物の顔が小さい場合、つまり顔検出処理により検出した顔画像領域４０Ａが小さい場合、撮影者が背景をある程度重視していると考えられる。この場合、プリントした場合でも、肌の荒れ等はほとんど目立たないうえに、背景の解像感の低下が強く感じられる。よって、美顔処理の補正強度を低くする。
一方、図８（ｂ）、（ｃ）の画像５０、６０に示すように、画像中の人物の顔が大きい場合、つまり顔検出処理により検出した顔画像領域５０Ａ、６０Ａがある程度大きい場合、撮影者が人物を重視していると考えられる。この場合、肌の荒れ等も鮮明に記録され、目立ってくる。よって、補正処理の補正強度を高くする。
このように画像中の人物の顔の大きさによって、補正処理の補正強度を変更したので、画像中の背景の解像感を必要以上に低下させずに、画像中の人物の顔に適切な補正強度の補正処理を施すことができる。
【００４１】
（２）表示画像用テーブル２０の補正強度を、記録画像用テーブル３０の補正強度とは異なる強度とした。このように、画像の解像度に合わせて補正強度を設定したので、不要な計算負荷を軽減できる。
【００４２】
なお、本発明は前記実施形態に限定されるものではなく、本発明の目的を達成できる範囲での変形、改良等は本発明に含まれるものである。
例えば、本実施形態では、表示画像用テーブル２０と記録画像用テーブル３０と２つのテーブルを設けたが、これに限らず、記録画像用テーブルのみを設けて、表示画像用テーブルの値を、記録画像用テーブルの値から所定値だけ減算して求めてもよい。
また、本実施形態では、美顔処理を実行した画像のみを記録するようにしたが、美顔処理を実行する前の画像と美顔処理を実行した後の画像とを対応付けて記録し、再生モードにおいて、美顔処理を実行した画像とは美顔レベルが異なる画像を、美顔処理を実行する前の画像から生成できるようにしてもよい。
また、本実施形態では、キー入力ブロック１３のモード設定キーが操作されることにより美顔モードを設定するものとしたが、これに限らず、美顔モードを起動させるための専用の指示部を装置本体に設けるようにしても良い。
また、本発明は、デジタルカメラに限らず、例えばカメラ付きの携帯電話端末等の静止画撮影機能を有する他の撮像装置にも適用できる。
また、本発明は、撮像装置に限らず、任意の画像処理装置にも適用できる。また、係る画像処理装置には、所定のプログラムに基づき動作することにより前記機能が実現されるパーソナルコンピュータも含まれる。
【図面の簡単な説明】
【００４３】
【図１】本発明の画像処理装置の一実施形態に係る画像処理装置としてのデジタルカメラの電気的構成を示すブロック図である。
【図２】前記実施形態に係るデジタルカメラの動作を示すフローチャート（その１）である。
【図３】前記実施形態に係るデジタルカメラの動作を示すフローチャート（その２）である。
【図４】前記実施形態に係るデジタルカメラの表示画像用テーブルを示す図である。
【図５】前記実施形態に係る表示画像用テーブルをグラフ化した図である。
【図６】前記実施形態に係るデジタルカメラの記録画像用テーブルを示す図である。
【図７】前記実施形態に係る記録画像用テーブルをグラフ化した図である。
【図８】前記実施形態に係るデジタルカメラで処理する画像の具体例である。
【符号の説明】
【００４４】
１      レンズ
２      シャッター
３      ＣＭＯＳセンサ
４      Ａ/Ｄ変換器
５      ＤＲＡＭ
６      液晶表示コントローラ
７      液晶表示器
８      シャッタ制御部
９      ＣＰＵ
１０    受光制御部
１１    デモザイク部
１２    外部記憶メモリ
１３    キー入力ブロック
１４    プログラムメモリ
１５    ＳＲＡＭ
９１    顔処理部
【図１】
2010049312.tif 000003
【図２】
2010049312.tif 000004
【図３】
2010049312.tif 000005
【図４】
2010049312.tif 000006
【図５】
2010049312.tif 000007
【図６】
2010049312.tif 000008
【図７】
2010049312.tif 000009
【図８】
2010049312.tif 000010